(57)【要約】【課題】  手首のツボ、特にその手首の内側の内関を効果的に刺激するパットの提供。【解決手段】  パット本体１の中央部の表面に凸部２を一体形成し、少なくともその凸部２の表面にツボ部冷却用の冷却剤が含浸または付着されている。【選択図】        図２
2004160204.tif 000002
【特許請求の範囲】
【請求項１】
パット本体(1) の中央部の表面に、凸部(2) が形成され、
少なくともその凸部(2) の表面に、ツボ部冷却用の冷却剤が含浸または付着されており、
その凸部(2) が手首のツボに接触するように保持される手首のツボ刺激パット。
【請求項２】
請求項１において、
前記パット本体(1) と凸部(2) とが一体に形成され、
前記冷却剤は、手首の体温で気化して気化熱をそこから奪う液体を有し、それが前記パット本体(1) および凸部(2) に含浸され、その液体がパット本体(1) から凸部(2) に浸透できるように形成された手首のツボ刺激パット。
【請求項３】
請求項１又は請求項２において、
前記パット本体(1) を手首に保持する保持手段(3) を有する手首のツボ刺激パット。
【請求項４】
請求項１〜請求項３のいずれかにおいて、
少なくとも前記パット本体(1) が可撓性を有する平板状に形成された手首のツボ刺激パット。
【請求項５】
請求項４において、
前記パット本体(1) の外面側に一定の剛性ある押圧プレート(4) が設けられる手首のツボ刺激パット。
【請求項６】
請求項１〜請求項５のいずれかにおいて、
前記凸部(2) は平面円形で断面円弧状に形成された手首のツボ刺激パット。
【請求項７】
請求項１〜請求項６のいずれかにおいて、
前記凸部(2) が当接される手首のツボは、内関であることを特徴とする手首のツボ刺激パット。
【発明の詳細な説明】
【技術分野】
【０００１】
本発明は、花粉症や慢性鼻炎に有効な手首のツボ・内関を刺激するパットに関する。
【背景技術】
【０００２】
人間の手首の各部には、東洋医学、特に鍼灸、指圧で言う各種のツボが存在する。そのツボを意識的に刺激することにより、各種治療効果或いは病気予防効果が存在することが既に知られている。
【０００３】
例えば、鍼灸の神門というツボは、左手首の小指の根元側に存在し、それを継続して刺激することにより心臓の安定強化を図ることが知られ、それを利用した提案がされている（例えば、特許文献１参照。）。
これは左手首に細めのバントを巻付け、手脊小指下の鋭骨下部の凹部に１ｃｍ大の磁石を装着するものである。
また、他のアクセサリー指圧器としてバンドにツボを刺激する突起を設けたものが知られている（例えば、特許文献２参照。）。
これは伸縮自在のベルトの中央よりやや右寄りに硬質の半球を取付けたものであり、バンドを締めることにより、一例として手首の背面側を刺激するものである。
【０００４】
さらには時計バンドの一部に突起部を設け、時計を装着したときその突起が手首のツボに圧接し、ツボ刺激により医療効果を期待した提案がされている（例えば、特許文献３参照。）。
これは、手首内側のツボを刺激することにより、各種乗り物酔いや、むかつき、高山病等の症状を軽減もしくは消失させる効果があるとされていることに基づくものである。
さらには便秘専用のツボベルトとして、ベルトに突起部並びに磁気入突起部を固定して、手首の小指側側部の神門をその突起により刺激する提案がされている（例えば、特許文献４参照。）。
【０００５】
【特許文献１】特開２０００−１４８０９号公報（第２図、第４図）
【特許文献２】特開平１−３１４５９６号公報（第１０図）
【特許文献３】実開平２−１４１２０８号公報（第１図、第２図、第４図）
【特許文献４】実開昭６１−１１１４３３号公報（第１図〜第６図）
【発明の開示】
【発明が解決しようとする課題】
【０００６】
従来の手首のツボ刺激は、何れもツボに相当する位置に突起部を当接し、バンドで押さえることによりツボを永続的に刺激するものであった。このような突起により手首の各種ツボを刺激することにより、そのツボに応じた各種治療効果等が期待できる可能性が存在する。
【０００７】
本発明者は、永年鍼灸およびマッサージを患者に行った結果、手首の内側にある内関というツボを刺激することにより、花粉症の症状や慢性鼻炎・アレルギー性鼻炎・咳・鼻水・くしゃみ等を軽減あるいは消失させることを確認した。
この内関と言うツボは、手首の内側中央であって手の平の付根から指３本分肘側に位置した点にある。この内関を刺激するだけでも花粉症等の症状を軽減できることが判明したが、そこを効果的に且つ永続的に刺激する考え方は従来存在しなかった。
【０００８】
なお、内関の刺激は押圧に加えて冷刺激、即ち、ツボを冷却させることにより特に花粉症や慢性鼻炎等に、極めて大きな相乗効果があることが本発明者の各種実験研究により明らかとなった。
そこで本発明者は上記知見に基づき、その内関を効果的且つ永続的に刺激することができるパットを案出し、それを患者に実験的に採用した結果、その効果が確認されたものである。
【課題を解決するための手段】
【０００９】
請求項１に記載の本発明は、パット本体(1) の中央部の表面に、凸部(2) が形成され、  少なくともその凸部(2) の表面に、ツボ部冷却用の冷却剤が含浸または付着されており、
その凸部(2) が手首のツボに接触するように保持される手首のツボ刺激パットである。      
【００１０】
請求項２に記載の本発明は、請求項１において、
前記パット本体(1) と凸部(2) とが一体に形成され、
前記冷却剤は、手首の体温で気化して気化熱をそこから奪う液体を有し、それが前記パット本体(1) および凸部(2) に含浸され、その液体がパット本体(1) から凸部(2) に浸透できるように形成された手首のツボ刺激パットである。
請求項３に記載の本発明は、請求項１又は請求項２において、
前記パット本体(1) を手首に保持する保持手段(3) を有する手首のツボ刺激パットである。
【００１１】
請求項４に記載の本発明は、請求項１〜請求項３のいずれかにおいて、
少なくとも前記パット本体(1) が可撓性を有する平板状に形成された手首のツボ刺激パットである。
請求項５に記載の本発明は、請求項４において、
前記パット本体(1) の外面側に一定の剛性ある押圧プレート(4) が設けられる手首のツボ刺激パットである。
【００１２】
請求項６に記載の本発明は、請求項１〜請求項５のいずれかにおいて、
前記凸部(2) は平面円形で断面円弧状に形成された手首のツボ刺激パットである。
請求項７に記載の本発明は、請求項１〜請求項６のいずれかにおいて、
前記凸部(2) が当接される手首のツボは、内関であることを特徴とする手首のツボ刺激パットである。
【発明の効果】
【００１３】
本発明の手首のツボ刺激パットは、そのパット本体１の中央部表面に凸部２が形成され、少なくともその凸部２の表面にツボ部冷却用の冷却剤が含浸または付着されているから、その凸部２を手首のツボに接触して保持することにより、そのツボに冷刺激を与えることができる。それにより、実験によれば鼻炎・花粉症等の症状を消失、軽減させる効果があることが判明した。
【００１４】
上記構成おいて、パット本体１と凸部２とを一体に形成し、冷却剤は手首の体温で気化して気化熱をそこから奪う液体を用い、それをパット本体１および凸部２に含浸させ、その液体がパット本体１から凸部２に浸透できるように形成することができる。この場合には、特に凸部２からの気化が促進され、ツボを集中的に冷刺激すると共に、その凸部２にそれ以外のパット本体１部分により液体を浸透させ永続的にツボ部分を冷刺激することができる。
【００１５】
上記構成おいて、パット本体１を手首に保持する保持手段３を設けることができる。それにより、日常生活に差し支えないツボ刺激パットとなり得る。
上記いずれかの構成おいて、パット本体１を可撓性を有する平板状に形成することができる。それにより、パット本体１を手首表面に密着させ、ツボに冷刺激を効果的に与えることができる。
上記構成おいて、パット本体１の外面側に一定の剛性ある押圧プレート４を設けることができる。この場合には、凸部２をツボにより効果的に押圧させ、ツボの冷刺激効果を向上させることができる。
【００１６】
上記いずれかの構成おいて、凸部２を平面円形で断面円弧状に形成することができる。それにより、手首表面に違和感のない使い心地のよいツボ刺激パットを提供できる。
上記いずれかの構成おいて、凸部２が当接されるツボを内関とすることができる。それにより、確実に花粉症・鼻炎等の症状を消失または低減させることができる。
【発明を実施するための最良の形態】
【００１７】
次に、図面に基づいて本発明の手首のツボ刺激パットの実施の形態につき説明する。
図１（Ａ）は本発明の手首のツボ刺激パットの斜視略図であり、図１（Ｂ）はそのＢ−Ｂ矢視断面図である。また、図２はパット本体１の背面側に押圧プレート４を設け、それをバンド状の保持手段３によって手首に保持できるようにした説明的斜視図である。
【００１８】
このツボ刺激パットは、可撓性を有する比較的軟質のゴムまたはスポンジ状の弾性体からなり、平板状のパット本体１の中央部に凸部２が一体に形成されている。凸部２の平面はこの例では円形で、その断面は図１（Ｂ）の如く円弧状に形成されている。そしてこのパット本体１，凸部２に冷却剤が含浸されて、それが表面に浸透するように形成されている。この冷却剤の一例は、水等の液体であり、それをパット本体１および凸部２に含浸させ、手首の体温で気化して内関のツボを気化熱により冷却するものである。
【００１９】
このようなツボ刺激パットは、一例として次のようにして作ることができる。
歯科用の歯型の型取り材（商品名アルフレックス）として広く用いられている粉末状の印象材アルギン酸塩と水とを３対１の割合で混合して、それをパット成形用型に充填することにより、パット本体１と凸部２とを一体にした図１のようなパットを成形することができる。これは内部に水を含み、体温によってその水を蒸散させることができると共に、蒸発面に内部の水を浸透により自動供給することができるものである。
【００２０】
この水には冷刺激効果を高める各種薬剤を含有することができる。
例えば、サリチル酸メチルやメントールからなる商品名メンタームＱと、ハッカ油を加えることができる。ハッカ油の分量は、水５００ミリリットルに対し３ミリリットル程度が好ましい。このような材料からなるパットは、皮膚刺激が小さく皮膚にアレルギー症状を有する患者に対しても有効である。
【００２１】
次に、パット本体１の大きさは１ｃｍ〜３．５ｃｍ程度とすることができ、その最適値は３ｃｍ角である。
また、パット本体１の厚みは１ｍｍ〜５ｍｍ程度とすることが好ましく、その最適値は２ｍｍ〜３ｍｍ程度である。
さらに凸部２の平面直径は５ｍｍ〜１５ｍｍ程度とし、その高さは０．５ｍｍ〜数ｍｍ程度とすることが好ましい。
【００２２】
このような最適値は、次の理由による。本発明のパットを患者の手首にバンドによって保持した状態で、少なくとも半日間冷刺激効果が持続するのに必要な冷却材含浸量および適度な刺激量を確保する条件に基づく。
このようなパットは、水で濡らした紙や布に包んでポリエチレン袋等に密封することにより保管することが可能となる。
【００２３】
このようなパットの裏面側には図２に示す如く、ダンボール材やゴム板等からなるある程度の剛性を有する押圧プレート４を張り付けまたは位置させ、さらにその外側から比較的薄いリストバンド等からなる保持手段３によって、それらを手首の内関に巻き付けることができる。
一例として、その使用にあたっては図３の如く本パットをその凸部２が手首の内関に位置するように配置し、次いで図４の如く、その外面側に押圧プレート４を配置する。さらにそれらの外周をリストバンド等よりなる保持手段３で巻き付ければよい。なお、この例ではリストバンドを用いたがパット本体１の外面側に粘着剤を有するテープを取付け、それを手首に貼着して巻き付けることも可能である。
【００２４】
このように手首の内関に凸部２が当接されると、その凸部２により内関が適度に押圧され、凸部２からの気化が他の部分よりも促進される。そして内関のツボを冷刺激する。凸部２にはパット本体１の各部から水が浸透し、凸部２を永続的に湿潤状態にする。その結果、永続的に内関を冷刺激し、それにより花粉症等の症状を軽減または消失させることができる。
実験によれば、花粉症患者の８割以上が少なくともこのツボ刺激パットを使用している時間内ではその症状がほとんど消失された。また、残りの患者は症状が消失されないまでも軽減することが明らかとなった。なお、より効果的には男性は左手首の内関に保持させ、女性は右手首の内関に本発明のツボ刺激パットを取付けることが有効である。
【００２５】
このように本発明のパットは、凸部２の表面からの冷却剤が気化する。すると、その凸部２にはパット本体１からの冷却剤が浸透または吸収され、永続的に凸部２から気化が起こり、内関を集中的に刺激することが判った。即ち、凸部２には冷却剤の補給がパット本体１から順次起こり、凸部２は最後まで乾燥し難い状態になる。そして最終的には、このツボ刺激パットは水分を全くなくし、硬化する。この状態になったら、新たなツボ刺激パットと取り替えれば良い。
【変形例】
【００２６】
なお、上記の実施の形態ではパット本体１および凸部２が一体に形成され、それら自体の表面および内部に冷却剤が含浸されていたが、それに代えて少なくとも凸部２の表面にツボ部冷却用の冷却剤を塗布または付着しても良い。
【図面の簡単な説明】
【００２７】
【図１】本発明の手首のツボ刺激パットであって、図１（Ａ）は斜視図、図１（Ｂ）は図１（Ａ）のＢ−Ｂ断面図。
【図２】同パットと押圧プレート４と保持手段３との関係を示す説明的斜視図。
【図３】同パットの取付説明図。
【図４】同パットの取付説明図。
【図５】同パットの取付説明図。
【符号の説明】
【００２８】
１  パット本体
２  凸部
３  保持手段
４  押圧プレート
【図１】
2004160204.tif 000003
【図２】
2004160204.tif 000004
【図３】
2004160204.tif 000005
【図４】
2004160204.tif 000006
【図５】
2004160204.tif 000007